【事件の表示】
　平成　２年特許願第１１７２０９号「画像形成システム」拒絶査定に対する審判事件［平成　４年　１月２０日出願公開、特開平　４−　１４４７９］について、次のとおり審決する。
【結　論】
　本件審判の請求は、成り立たない。
【理　由】
１．手続の経緯・本願発明
　本願は、平成２年５月７日の出願であって、その請求項１乃至４に係る発明は、願書に添付した明細書及び図面の記載からみて、本願の特許請求の範囲の請求項１乃至４に記載されたとおりの次のものであると認める。
　請求項１：「台紙上に写真画像等の階調画像と文字等の非階調画像とを形成する画像形成システムにおいて、階調画像入力手段と（必要に応じて非階調画像生成手段と）これらの画像を非階調画像に対応させる手段と上記両画像の配置を決定するレイアウト手段とレイアウトされた両画像に対応したデータを作成するデータファイル生成手段とを含む画像処理手段と、該データファイルに基づいて台紙上に染料受容層を形成する手段と、データファイルに基づいて上記染料受容層に階調画像を形成する熱転写手段と、必要に応じて非階調画像を形成する手段とを組み合わせてなることを特徴とする画像形成システム。」
　請求項２：「非階調画像が予め台紙上に形成されている請求項１に記載の画像形成システム。」
　請求項３：「台紙上に形成された画像の少なくとも一部に保護層を形成する手段を更に有する請求項１に記載の画像形成システム。」
　請求項４：「台紙が名刺、葉書等のカード状である請求項１に記載の画像形成システム。」
　
２．引用例
　これに対して、当審における拒絶の理由で引用した、特開昭６３−１８３８６７号公報（以下、「引用例１」という。）、特開平１−２０６０９４号公報（以下、「引用例２」という。）、特開平１−１２２４８５号公報（以下、「引用例３」という。）には、それぞれ以下のような事項等が記載されている。
　
［引用例１］
ア．「画像データを入力する画像入力手段と、文字データを入力する文字入力手段と、前記画像データおよび文字データの位置を設定するレイアウト入力手段と、これら入力手段からの入力に応じて前記両データの処理を行うデータ処理手段と、このデータ処理手段から得られるデータを読みだし得るように蓄積するメモリー手段と、・・・データ処理手段からのデータに基づきメニューを印刷する手段とをそなえた・・・作成装置。」（特許請求の範囲の第２番目の記載）
イ．「画像データを入力し、・・・文字データを入力し、レイアウト手段によりこれら各データの表示位置を設定し、・・・レイアウト済みのデータをメモリーに格納し、次いでこのメモリーの格納データを印刷手段に取出して印刷を行う。」（第２頁右上欄第１１行〜第１７行）
ウ．「第１Ａ図および第１Ｂ図は本発明の一実施例の構成を示したもので、まず第１Ａ図において１０１は画像入力手段であり、・・・この画像入力手段１０１等から出力された画像データはデータ処理装置１０４を介してメモリ１０５に格納される。そしてこの格納データはデータ処理装置１０４を介してディスプレイ１０２に与えられ表示される。データ処理装置１０４には、・・・レイアウト入力手段つまり位置データ入力手段１０３が接続されていてディスプレイ１０２上の表示画像に関連する位置データを入力するようになっており、・・・文字データ入力手段１０６とフォント発生器１０９を用いることにより文字データを入力するようになっている。これにより画像データに対してトリミング、レイアウトを含む種々の処理が加えられる。加工されたデータはデータ変換装置１０７により昇華転写プリンタを動作させるのに適したデータに変換された上でドライバ１０８を介してサーマルヘッドに出力される。」（第２頁左下欄第１４行〜右下欄第１９行）
エ．「第３図は本発明に用いる昇華転写プリンタ用データ処理回路の概略構成図である。図示の如く処理回路１０７は画素密度変換器３、色修正器４、階調修正器１１、記憶装置１２、バッファ１３、並直径変換器１４、ドライバ１０８より構成され、画素密度変換器３は画像入力装置１００と接続されている。画像入力装置１００は原画像のＲ、Ｇ、ＢまたはＹ、Ｍ、Ｃの三原色データを昇華転写プリンタに入力するものである。」（第４頁左下欄第７行〜第１６行）
オ．「同図はカード状・・・の被転写シートに染料画像を印画する機構を示している。」（第３頁左上欄第１３行〜第１５行）
カ．「本発明における被転写シートとして使用し得る材料は、各種の紙、加工紙、プラスチックシート等いずれでもよく、プラスチックシートの如く、昇華性染料で直接染色可能な材料であれば、これらの被転写基材２０１が表示層２０２を兼ねることができる。・・・表示層２０２としては、昇華性染料で染着可能な材料、例えば、・・・プラスチック材料が好適であり、・・・紙、加工紙、金属等の如き昇華性染料で染着できない材料を基材２０１とする場合には、上記の如き昇華性染料で染色可能なプラスチック材料からなる溶液を基材２０１に塗布したり、あるいはそれらのフィルムを基材２０１に積層することによって形成することができ、・・・表示層２０２に表示された表示画像２０４の全部あるいは１部が昇華性染料から形成されており、このような画像２０４の形成は従来公知の方法でよい。例えば、公知の昇華転写方法に使用されている昇華転写シート、すなわち、紙やプラスチックフィルム、シート等の支持体の表面に加熱によって昇華し得る染料を任意のバインダー樹脂で担持させたものを表示層２０２に重ね合わせ、昇華転写シートの裏面からパターン状の加熱を行なって、表示層２０２中に染料を移行させることによって容易に形成することができる。」（第７頁右上欄第２行〜左下欄第１５行）
キ．第１Ａ図には、画像入力装置１００は、画像入力手段１０１、文字入力手段１０６、データ処理手段１０４、レイアウト入力手段１０３、メモリー手段１０５等を含む点が記載されている。
　
　上記の記載を含む引用例１には、下記の発明が記載されている。
　「被転写シート上に画像データと文字データとを印刷する作成装置において、画像入力手段１０１と文字入力手段１０６とこれら入力手段からの入力に応じて前記両データの処理を行うデータ処理装置１０４と前記画像データおよび文字データの位置を設定するレイアウト入力手段１０３とレイアウト済みのデータを格納するメモリ１０５とを含む画像入力装置１００と、データ処理装置１０４からのデータに基づき基材２０１上に昇華性染料で染着可能な表示層２０２が形成された被転写シートに画像データと文字データを印刷する昇華転写プリンタをそなえた作成装置。」（以下、「引用例１発明」という。）
　
［引用例２］
ア．「受容層を記録媒体の多色画像を記録すべき部分のみに転写する」（特許請求の範囲の請求項５）
イ．「色彩転写シート６の受容層２を記録媒体１０の色彩階調画像を記録すべき位置に位置決めした後、記録データに基づいて・・・溶融した受容層２を記録媒体１０の表面に転写して受容層を形成する。つまり、ここでは後で色彩階調画像を形成する部分のみに受容層２を転写して受容層を形成する。そして、以後前記の場合と同様に色彩層３ａ〜３ｃを転写して、・・・記録媒体１０上に・・・多色画像を得る。・・・ブラックの画像の領域が多い場合は、・・・熱溶融性のブラックの色彩層５を持つ色彩転写シートを用い、主として文字部分となるブラックの画像以外の領域に受容層を形成して、この受容層上に色彩層３ａ〜３ｃを転写することにより多色画像を記録した後、熱溶融性の色彩層５を加熱手段１１により記録データに基づいて選択的に熱溶融して記録媒体１０の受容層が形成されていない部分つまり前記の主として文字部分となる領域に転写する。この記録方法ではブラックの画像を熱溶融性の色彩層５により記録するようにしている」（第４頁右上欄第４行〜左下欄第１６行）
　
［引用例３］
ア．「本発明熱転写方法によれば、転写された画像はその上に常に保護層を有する状態にあり、」（第２頁左下欄第１６行〜第１８行）
　
３．対比・判断
（１）請求項１に係る発明について
　請求項１に係る発明と引用例１発明とを対比すると、
　本件明細書には、「ＣＣＤスキャナー１、カメラ２等の階調画像入力手段から、画像処理手段３に階調画像を入力し、一方、パソコン４等のコンピュータを駆動させて、・・・文字等の非階調画像を画像処理手段３に入力し、該処理手段３において、階調画像と非階調画像とを対応させ、且つ上記両画像をレイアウトして配置を決定し、対応及びレイアウトされた両画像のデータを作成してデータファイル５、６又は７にファイルする。」（明細書第５頁第２行〜第１２行）と記載されていることからも、引用例１発明の「被転写シート」、「画像データ」、「文字データ」、「画像入力手段１０１」、「文字入力手段１０６」、「データ処理装置１０４」、及び「レイアウト入力手段１０３」は、それぞれ請求項１に係る発明の「台紙」、「写真画像等の階調画像」、「文字等の非階調画像」、「階調画像入力手段」、「非階調画像生成手段」、「これらの画像を非階調画像に対応させる手段」、及び「レイアウト手段」に相当する。
　引用例１の「レイアウト済みのデータをメモリーに格納し、次いでこのメモリーの格納データを印刷手段に取り出して印刷を行う」なる記載から、引用例１発明が、請求項１に係る発明における「レイアウトされた両画像に対応したデータを作成するデータファイル生成手段」を有することは明らかであるし、請求項１に係る発明と形成の仕方が異なるものの、データファイルに基づいて階調画像及び非階調画像を形成するという点で共通する。
　引用例１発明の「表示層」は、紙等の基材に塗布して、染料を重ね合わせるものであるから、請求項１に係る発明の「染料受容層」に相当する。
　そして、引用例１発明は、紙等に表示層を塗布あるいは積層し、昇華性染料で画像形成するものであるから、引用例１発明の「データ処理装置１０４からのデータに基づき基材２０１上に昇華性染料で染着可能な表示層２０２が形成された被転写シートに画像データと文字データを印刷する昇華転写プリンタをそなえた」と、請求項１に係る発明の「データファイルに基づいて上記染料受容層に階調画像を形成する熱転写手段と、必要に応じて非階調画像を形成する手段とを組み合わせてなる」とは、「台紙上に形成された染料受容層にデータファイルに基づいて階調画像を形成する熱転写手段と、該データファイルに基づいて非階調画像を形成する手段とを組み合わせてなる」という点で共通する。
　したがって、両者は、
「台紙上に写真画像等の階調画像と文字等の非階調画像とを形成する画像形成システムにおいて、階調画像入力手段と、非階調画像生成手段と、これらの画像を非階調画像に対応させる手段と上記両画像の配置を決定するレイアウト手段とレイアウトされた両画像に対応したデータを作成するデータファイル生成手段とを含む画像処理手段と、台紙上に形成された染料受容層にデータファイルに基づいて階調画像を形成する熱転写手段と、該データファイルに基づいて非階調画像を形成する手段とを組み合わせてなる画像形成システム。」
である点で一致し、次の点で相違する。
［相違点１］
　台紙上に形成された染料受容層について、請求項１に係る発明は、データファイルに基づいて台紙上に染料受容層を形成する手段を有しているのに対し、引用例１発明においては、台紙上に形成された染料受容層がデータファイルに基づいているものか否かが明確でない点。
［相違点２］
　請求項１に係る発明は、必要に応じて非階調画像生成手段を含み、必要に応じて非階調画像を形成する手段を含むのに対し、引用例１発明は、非階調画像生成手段を含み、非階調画像を形成する手段を含むが、必要に応じてであるか否かが不明である点。
　そこで、上記相違点について検討する。
［相違点１について］
　引用例２には、記録データに基づいて記録媒体の表面の多色画像を記録すべき部分のみに受容層を形成し、色彩層３ａ〜３ｃを転写し、多色画像を形成し、熱溶融性のブラックの色彩層５を記録データに基づいて記録媒体１０の受容層が形成されていない部分つまり文字部分となる領域に転写する技術が記載されている。
　ここで、引用例２に記載された発明の「記録媒体」、「受容層」、「多色画像」、及び「文字部分」は、請求項１に係る発明の「台紙」、「染料受容層」、「写真画像等の階調画像」、及び「文字等の非階調画像」に相当する。
　また、引用例２に記載された発明は、記録データに基づいて画像を形成するものであるが、多色画像を記録すべき部分のみに受容層を形成するためには、多色画像の箇所と文字部分の箇所が認識できるようなデータが記憶され、記憶されているデータに基づいて画像を形成することが必要であり、請求項１に係る発明の「データファイル」を有することは明らかである。
　したがって、引用例２に記載された発明は、データファイルに基づいて台紙上に染料受容層を形成し、データファイルに基づいて染料受容層に階調画像を形成するものであると認められる。
　引用例１発明の「基材２０１上に昇華性染料で染着可能な表示層２０２が形成された被転写シート」は、上記記載カ．を参酌すると、被転写シートとして使用し得る材料は、各種の紙、加工紙、プラスチックシート等のいずれでもよいが、基材２０１（台紙）が紙、加工紙、金属等の如き昇華性染料で染着できない材料を基材２０１とする場合には、基材上に表示層２０２（染料受容層）を形成するとされていることから、データファイルに基づくかどうかは明確でないが、基材（台紙）上に染料受容層を形成する必要があり、染料受容層を形成する時期を、予め形成しておくか、データに応じて印刷する際に形成するかは、コストパフォーマンス等を考慮して当業者が適宜なし得る設計的事項である。
　したがって、引用例１発明において、台紙上に染料受容層を形成する際に、引用例２に記載された発明の如く、データファイルに基づいて台紙上に染料受容層を形成するようにすることに何ら困難性を見いだすことはできない。
［相違点２について］
　文字データを入力する必要がなければ、文字データの入力や、形成をしないことは当然のことであるから、引用例１に記載された発明において、必要に応じて非階調画像生成手段を含み、必要に応じて非階調画像を形成する手段を含む構成とすることは当業者が容易に想到しうる程度のものにすぎない。
　そして、このようにして構成されたもの全体をみても、その作用効果は、各引用例に記載されたものから予測し得る程度のものに過ぎない。
　ところで、請求人は、「引用例１の発明における被転写シートは既に基材シートの全面に染料受容層が形成されていることが明らかであります。一方、引用例２の発明では、紙等の被転写材の必要部分に染料受容層を形成し、該染料受容層に昇華転写画像を形成するというものであります。
　そうしてみると、当業者が引用例１及び引用例２を同時に参照したとしても、引用例１の発明では予め染料受容層が形成されている被転写材を使用していることから、引用例２に記載の如く、既に染料受容層が形成されている引用例１の被転写シートに更に染料受容層を転写しようとする動機が当業者に発生することはあり得ません。即ち、引用例２の発明を引用例１の発明に適用することには合理的且つ必然的な理由が有りません。
　従って、本願請求項１の発明が、組み合わせる合理的な理由がない引用例１と引用例２との組み合わせによって当業者が容易に為し得るということはできません。」と主張している。（平成１３年１０月１日付け意見書第１頁下から２行〜第２頁第１１行）
　しかしながら、引用例１に記載された発明における被転写シートは基材の全面に染料受容層が形成されているか否かは不明であり、仮に全面に染料受容層が形成されているとしても、２．［引用例１］カ．の記載より、基材に染料受容層を形成し、染料受容層に画像を形成するものであるから、先に検討したように、染料受容層を形成する際に、予め全面に染料受容層を形成する代わりに、引用例２に記載された発明のように、紙等の被転写材の必要部分に染料受容層を形成し、該染料受容層に昇華転写画像を形成する構成とすることに何ら困難性を見いだすことはできず、この主張を採用することはできない。
　したがって、請求項１に係る発明は、引用例１乃至２に記載された発明に基づいて、その出願前にその発明の属する技術の分野における通常の知識を有する者が容易に発明をすることができたものである。
　
（２）請求項２に係る発明について
　請求項２に係る発明は、請求項１に係る発明に、非階調画像が予め台紙上に形成されている点を技術的に限定したものである。
　そこで、請求項２に係る発明と引用例１に記載された発明とを対比すると、上記３．（１）にて検討した相違点以外に、非階調画像が予め台紙上に形成されている点で相違する。
　しかしながら、台紙上に画像を形成する際に、予め何らかの画像が形成されている台紙を用いる程度のことは必要に応じて行われる程度のことであり、引用例１に記載された発明において、非階調画像が予め台紙上に形成されているようにする程度のことに何ら困難性を見いだすことはできず、請求項２に係る発明は、引用例１乃至２に記載された発明に基づいて、その出願前にその発明の属する技術の分野における通常の知識を有する者が容易に発明をすることができたものである。
（３）請求項３に係る発明について
　請求項３に係る発明は、請求項１に係る発明に、台紙上に形成された画像の少なくとも一部に保護層を形成する手段を更に有する点を技術的に限定したものである。
　そこで、請求項３に係る発明と引用例１に記載された発明とを対比すると、上記３．（１）にて検討した相違点以外に、台紙上に形成された画像の少なくとも一部に保護層を形成する点で相違する。
　しかしながら、形成された画像に保護層を形成する程度のことは、周知の構成（例えば、引用例３を参照。）であり、引用例１に記載された発明において、台紙上に形成された画像の少なくとも一部に保護層を形成する程度のことに何ら困難性を見いだすことはできず、請求項３に係る発明は、引用例１乃至３に記載された発明に基づいて、その出願前にその発明の属する技術の分野における通常の知識を有する者が容易に発明をすることができたものである。
（４）請求項４に係る発明について
　請求項４に係る発明は、請求項１に係る発明に、台紙が名刺、葉書等のカード状である点を技術的に限定したものである。
　引用例１に記載された発明においても、カード状のシートに印画するものであるし、画像を形成する台紙をどのようなものにするかは必要に応じて決めるべき事項にすぎないので、請求項４に係る発明は、引用例１乃至２に記載された発明に基づいて、その出願前にその発明の属する技術の分野における通常の知識を有する者が容易に発明をすることができたものである。
　
４．むすび
　以上のとおりであるから、本願の請求項１、２、４に係る発明は、上記引用例１乃至２の記載に基づいて当業者が容易に発明をすることができたものであり、本願の請求項３に係る発明は、上記引用例１乃至３の記載に基づいて当業者が容易に発明をすることができたものであるので、特許法第２９条第２項の規定により特許を受けることができない。
　よって、結論のとおり審決する。